(57)【要約】      （修正有）【課題】別の部材を用いることなく複数の電線を一体化できる端子接続配線を提供する。【解決手段】端子接続配線１００は、それぞれ導線が絶縁被覆されているとともに互いに組み合されて一体化された複数の電線１１−１〜１１−３を備え、前記複数の電線は、前記複数の電線を互いに保持させ一体化させる３次元的な曲げ形状を有する。配線する電線に３次元的な曲げ形状を加えることにより３次元的な曲げ形状で互いの電線を勘合させ拘束させて複数の電線を一体化させる。これにより、複数の電線を一体化するために電線以外の別の部材を使用する必要がなく、別の部材を用いることなく複数の電線を一体化できる。【選択図】図２
2014107089.tif 000002
【特許請求の範囲】
【請求項１】
それぞれ導線が絶縁被覆されているとともに互いに組み合されて一体化された複数の電線を備え、
前記複数の電線は、前記複数の電線を互いに保持させ一体化させる３次元的な曲げ形状を有する
ことを特徴とする端子接続配線。
【請求項２】
前記複数の電線は、
溝形状を有する第１の電線と、
前記溝形状に載置される第２の電線と、
を有する
ことを特徴とする請求項１に記載の端子接続配線。
【請求項３】
前記第２の電線は、前記第１の電線と前記第２の電線との３次元的な位置関係が予定された位置関係に保持されるように載置される
ことを特徴とする請求項２に記載の端子接続配線。
【請求項４】
前記複数の電線は、前記３次元的な曲げ形状に対して圧入される電線を有する
ことを特徴とする請求項１から３のいずれか１項に記載の端子接続配線。
【請求項５】
前記第１の電線と前記第２の電線とは、互いに３次元的な動きを規制するように構成されている
ことを特徴とする請求項２又は３に記載の端子接続配線。
【請求項６】
前記３次元的な動きは、電線に交差する方向の動き、電線に沿った方向の動き、及び回転方向の動きの少なくとも１つを含む
ことを特徴とする請求項５に記載の端子接続配線。
【発明の詳細な説明】
【技術分野】
【０００１】
本発明は、端子接続配線に関する。
【背景技術】
【０００２】
従来、複数の電線を電線以外の部品で束ねる方法（第１の方法）がある。それは、電線の両端部が２つの端子部又は電極部へ容易に入れることが出来るような曲げを複数の被膜付電線のそれぞれに施し、複数の端子間へ簡単に接続できるように端子幅又は電極位置に合わせて並べて、紐状の部品で縛るか、専用又は汎用の結束部材によって複数の電線を固定し一定の形状を保持するという方法である。
【０００３】
また、複数の被膜付又は被膜なし電線をインサート成形する方法（第２の方法）により一体化しているものもがある。これは、複数の電線を一定の形状にフォーミングした上でその複数の電線を金型内へ設置しその金型内へ注入した樹脂にて全電線を一体化する方法である。
【０００４】
特許文献１には、複数本の端子付電線をオーバーラップしつつ並べ、屈曲抑制形電線の中間部分相互のオーバーラップ部分同士を射出成型体にて一体化することが記載されている。これにより、特許文献１によれば、屈曲抑制形電線の取り扱い性が向上するとされている。
【先行技術文献】
【特許文献】
【０００５】
【特許文献１】特開平７−１８２９２６号公報
【発明の概要】
【発明が解決しようとする課題】
【０００６】
上記した第１の方法、第２の方法、特許文献１に記載の技術は、いずれも、複数の電線を複数の電線とは別の部材で一体化させることが前提となっている。
【０００７】
複数の電線を電線以外の部品で束ねる方法（第１の方法）については、電線を束ねる為に電線以外の部品を使用しなければならず、部品点数の増大となる可能性がある。
【０００８】
また、第１の方法では、複数の電線のその全長に渡って完全に固定するために、多数の箇所を電線以外の部品で固定するか、特許文献１に示されるように電線を並べた後射出成形体にて一体化する必要がある。
【０００９】
さらに、第１の方法では、結束時の電線端の端子部の配置間隔は接続される機器や基板等の端子や電極の間隔と同一にしなければならないが、電線のみでは配置間隔を一定にすることは困難なため、冶具等を用いて電線の配置間隔を一定にする必要がある。これら後者２点は電線結束時の工数の増大をもたらす可能性がある。
【００１０】
複数の電線に成形樹脂を直接射出成形する方法（第２の方法及び特許文献１に記載の技術）については、樹脂を成形するための金型が必要であるため高額な初期投資が必要となる。
【００１１】
また、第２の方法及び特許文献１に記載の技術では、電線を金型内へ設置する時、金型内の電線用穴へ電線を一部挿入する必要がある。このとき金型にて電線を削ってしまう場合があり、電線の削れ片が射出した樹脂へ混入すると樹脂内へ閉じ込めた複数の電線間に削れ片が固置され、樹脂内の電線間にて相関短絡を引き起こす可能性がある。
【００１２】
さらに、第２の方法及び特許文献１に記載の技術では、金型内にて電線は中空に位置しているが、樹脂射出時の射出圧にて電線が曲がらぬよう、金型内では１本の電線につき１点以上の保持用柱が設置されている。すなわち、成形後の成形体には金型内で電線を保持するための穴が間隔をあけて形成されている。このため射出成形後の一体化された導体には、端子部位外に複数点の導体露出部が存在する。これら導体露出部は他導電部又はアース部からは沿面的にも空間的にも一定以上の絶縁距離を保つ必要がある。よって、第２の方法及び特許文献１に記載の技術では、金型内での導体の保持と導体露出部による他導電部等との兼ね合いを考慮した製品設計が必要となる。
【００１３】
このように、複数の電線を別の部材で一体化させることには、多くの問題があると考えられる。
【００１４】
本発明は、上記に鑑みてなされたものであって、別の部材を用いることなく複数の電線を一体化できる端子接続配線を得ることを目的とする。
【課題を解決するための手段】
【００１５】
上述した課題を解決し、目的を達成するために、本発明の１つの側面にかかる端子接続配線は、それぞれ導線が絶縁被覆されているとともに互いに組み合されて一体化された複数の電線を備え、前記複数の電線は、前記複数の電線を互いに保持させ一体化させる３次元的な曲げ形状を有することを特徴とする。
【発明の効果】
【００１６】
本発明によれば、複数の電線は、複数の電線を互いに保持させ一体化させる３次元的な曲げ形状を有する。すなわち、配線する電線に３次元的な曲げ形状を加えることにより３次元的な曲げ形状で互いの電線を勘合させ拘束させて複数の電線を一体化させる。これにより、複数の電線を一体化するために電線以外の別の部材を使用する必要がなく、別の部材を用いることなく複数の電線を一体化できる。
【図面の簡単な説明】
【００１７】
【図１】図１は、実施の形態１にかかる端子接続配線が適用される機器の構成を示す図である。
【図２】図２は、実施の形態１にかかる端子接続配線の構成を示す天面図である。
【図３】図３は、実施の形態１にかかる端子接続配線の構成を示す正面図である。
【図４】図４は、実施の形態１にかかる端子接続配線の構成を示す底面図である。
【図５】図５は、実施の形態１にかかる端子接続配線の構成を示す側面図である。
【図６】図６は、実施の形態１にかかる端子接続配線の構成を示す斜視図である。
【図７】図７は、実施の形態１における電線の構成を示す図である。
【図８】図８は、実施の形態１における電線の構成を示す図である。
【図９】図９は、実施の形態１における電線の構成を示す図である。
【図１０】図１０は、実施の形態２にかかる端子接続配線の構成を示す天面図である。
【図１１】図１１は、実施の形態２にかかる端子接続配線の構成を示す正面図である。
【図１２】図１２は、実施の形態２にかかる端子接続配線の構成を示す底面図である。
【図１３】図１３は、実施の形態２にかかる端子接続配線の構成を示す側面図である。
【図１４】図１４は、実施の形態２にかかる端子接続配線の構成を示す斜視図である。
【図１５】図１５は、実施の形態２における電線の構成を示す図である。
【図１６】図１６は、実施の形態２における電線の構成を示す図である。
【図１７】図１７は、実施の形態２における電線の構成を示す図である。
【図１８】図１８は、実施の形態１にかかる端子接続配線と実施の形態２にかかる端子接続配線とが機器に取り付けられた状態を示す天面図である。
【図１９】図１９は、実施の形態１にかかる端子接続配線と実施の形態２にかかる端子接続配線とが機器に取り付けられた状態を示す正面図である。
【図２０】図２０は、実施の形態１にかかる端子接続配線と実施の形態２にかかる端子接続配線とが機器に取り付けられた状態を示す底面図である。
【図２１】図２１は、実施の形態３にかかる端子接続配線の構成を示す天面図である。
【図２２】図２２は、実施の形態３にかかる端子接続配線の構成を示す正面図である。
【図２３】図２３は、実施の形態３にかかる端子接続配線の構成を示す底面図である。
【図２４】図２４は、実施の形態３にかかる端子接続配線の構成を示す側面図である。
【図２５】図２５は、実施の形態３における電線の構成を示す図である。
【図２６】図２６は、実施の形態３における電線の構成を示す図である。
【図２７】図２７は、実施の形態３における電線の構成を示す図である。
【図２８】図２８は、実施の形態４にかかる端子接続配線の構成を示す天面図である。
【図２９】図２９は、実施の形態４にかかる端子接続配線の構成を示す正面図である。
【図３０】図３０は、実施の形態４にかかる端子接続配線の構成を示す底面図である。
【図３１】図３１は、実施の形態４にかかる端子接続配線の構成を示す側面図である。
【図３２】図３２は、実施の形態４における電線の構成を示す図である。
【図３３】図３３は、実施の形態４における電線の構成を示す図である。
【図３４】図３４は、実施の形態４における電線の構成を示す図である。
【図３５】図３５は、実施の形態３にかかる端子接続配線と実施の形態４にかかる端子接続配線とが機器に取り付けられた状態を示す天面図である。
【図３６】図３６は、実施の形態３にかかる端子接続配線と実施の形態４にかかる端子接続配線とが機器に取り付けられた状態を示す正面図である。
【図３７】図３７は、実施の形態３にかかる端子接続配線と実施の形態４にかかる端子接続配線とが機器に取り付けられた状態を示す底面図である。
【発明を実施するための形態】
【００１８】
以下に、本発明にかかる端子接続配線の実施の形態を図面に基づいて詳細に説明する。なお、この実施の形態によりこの発明が限定されるものではない。
【００１９】
実施の形態１．
実施の形態１にかかる端子接続配線１００について説明する。
【００２０】
端子接続配線１００は、例えば、電気機器の端子を接続するためのものである。端子接続配線１００は、複数の端子や電極間を配線する電線について、電線以外の部材を使用せずに複数の電線を一体化する。これにより、複数の端子に容易に配線可能な安価な端子接続配線１００を提供できる。
【００２１】
端子接続配線１００が適用される機器について図１を用いて説明する。図１は、端子接続配線１００が適用される機器の構成を示す図である。
【００２２】
端子接続配線１００は、例えば、電源及び負荷（例えば、電動機）３の間において、複数の機器の間を接続したり、機器と負荷（例えば、電動機）３との間を接続したりする。例えば、電源及び負荷の間の機器として、可逆式電磁接触器２を用いて説明する。電磁接触器は主に負荷（例えば、電動機）３の始動停止に用いられる接触器である。負荷３は回転方向として正回転方向と逆回転方向の２方向へ回転させることが可能であるが、回転方向を変更するには、電源側の相配線４−１〜４−３と、負荷側の相配線７−１〜７−３との対応関係を逆とする。これにより、負荷３の運転方向（回転子の回転方向）を変更することが可能となる。例えば、電源側の相配線４−１〜４−３は、それぞれ、Ｒ相、Ｓ相、Ｔ相の電源配線である。例えば、負荷側の相配線７−１〜７−３は、それぞれ、Ｗ相、Ｖ相、Ｗ相の負荷配線である。
【００２３】
電源側の相配線４−１〜４−３と負荷側の相配線７−１〜７−３との対応関係を入れ替えるために、電磁接触器２−１，２−２を２台用い、１台を相順方向とした正転用電磁接触器２−１、もう１台を相逆方向とした逆転用電磁接触器２−２とする。この２台を左右に並べて構成した電磁接触器を可逆式電磁接触器２と呼ぶことにする。
【００２４】
正転用電磁接触器２−１及び逆転用電磁接触器２−２の２台の配線において、可逆式電磁接触器２の電源側配線５−１〜５−３は、左右両電磁接触の同じ端子番号を接続する。これにより、電源側から供給された各相の電圧は左右電磁接触器の同じ端子へ配電される。この電源側配線５の様な接続を相渡用配線と呼ぶ。例えば、正転用電磁接触器２−１及び逆転用電磁接触器２−２は、いずれも、端子Ｌ１，Ｌ２，Ｌ３でＲ相、Ｓ相、Ｔ相の電力を受ける。
【００２５】
一方、可逆式電磁接触器２の負荷側配線６−１〜６−３について、中央相以外は左右の電磁接触器で互いに相違する端子番号へ接続される。例えば、負荷側配線６−１においては正転用電磁接触器２−１のＴ１端子と逆転用電磁接触器２−２のＴ３端子が接続され、負荷側配線６−３においては正転用電磁接触器２−１のＴ３端子と逆転用電磁接触器２−２のＴ１端子が接続される。この負荷側配線６の様な接続を相逆転用配線と呼ぶ。例えば、正転用電磁接触器２−１は、端子Ｔ１，Ｔ２，Ｔ３から負荷３へＵ相、Ｖ相、Ｗ相の電力を供給するのに対して、逆転用電磁接触器２−２は、端子Ｔ１，Ｔ２，Ｔ３から負荷３へＷ相、Ｖ相、Ｕ相の電力を供給する。
【００２６】
この電源側配線５−１〜５−３及び負荷側配線６−１〜６−３において、それぞれ電線を３本ずつ配線しなければならない。この配線において、一本ずつ散々の電線を配線してもよいが、３本が一体化し更に端子部の位置が接続する機器や基板の接続位置と一致するように固定されているとより配線効率が良いため、３本を一体化した配線部材（端子接続配線１００）を使用すると良い。この３本の電線は撚線でも単線でもよい。但し、電線の曲げ成形性が良く、さらに曲げ加工後の形状をある程度強固に保つことが可能な電線を使用することが望ましい。
【００２７】
例えば３本を一体化した端子接続配線１００において、本実施の形態では、電線を一体化するにあたり電線以外の部品、部材を使用せず、電線の３次元的な曲げ形状により３本の電線を一体化する。本実施の形態では、例えば電源側配線５−１〜５−３としての端子接続配線１００の実施の形態を説明する。
【００２８】
電源側配線５−１〜５−３としての端子接続配線１００の構成について図２〜図６を用いて説明する。図２は、端子接続配線１００の構成を示す天面図である。図３は、端子接続配線１００の構成を示す正面図である。図４は、端子接続配線１００の構成を示す底面図である。図５は、端子接続配線１００の構成を示す側面図である。図６は、端子接続配線１００の構成を示す斜視図である。
【００２９】
端子接続配線１００は、図２〜図６に示すように、互いに組み合されて一体化された複数の電線１１−１〜１１−３を有する。例えば、端子接続配線１００では、並んだ２本の電線を天面方向（図２参照）から見たときに長手方向に沿って他の電線で抱え込むように複数の電線を一体化している。
【００３０】
各電線１１−１〜１１−３は、導線１１−１ａ，１１−２ａ，１１−３ａが絶縁被膜１１−１ｂ，１１−２ｂ，１１−３ｂで絶縁被覆されている（図４参照）。複数の電線１１−１〜１１−３は、図２〜図６に示すように、複数の電線１１−１〜１１−３を互いに保持させ一体化させる３次元的な曲げ形状を有する。すなわち、図２〜図６に示す３次元的な曲げ形状は、複数の電線１１−１〜１１−３を互いに３次元的に保持させ一体化させるように構成されている。また、図２〜図６に示す３次元的な曲げ形状は、例えば、複数の電線１１−１〜１１−３の位置関係を保持するように構成されている。
【００３１】
例えば、導線１１−１ａ，１１−２ａ，１１−３ａ及び／又は絶縁被膜１１−１ｂ，１１−２ｂ，１１−３ｂを可塑性が高くなるような形状にしたり可塑性が高くなるような材料で形成したりする。これにより、図２〜図６に示す３次元的な曲げ形状を安定的に形成及び維持できる。
【００３２】
次に、電線１１−１について図７を用いて説明する。図７は、電線１１−１の形状等の構成を示す図である。
【００３３】
電線１１−１は、例えば、正転用電磁接触器２−１のＬ１端子と逆転用電磁接触器２−２のＬ１端子を接続する電源側配線５−１に対応している（図１参照）。電線１１−１は、他の電線１１−２，１１−３を載置可能な溝１１−１−１，１１−１−６を有する。他の２本の電線１１−２，１１−３は、溝１１−１−１，１１−１−６を介して電線１１−１上に安定的に載置することが可能である。溝１１−１−１，１１−１−６のうち狭い方の溝１１−１−１の図７の紙面に垂直な方向の幅は、載置される電線１１−２，１１−３の直径の合計と同じか直径の合計よりも若干狭い幅である。これにより、溝１１−１−１，１１−１−６は、載置される電線１１−２，１１−３を保持できる。
【００３４】
また、電線１１−１には、載置された電線１１−２，１１−３が横擦れ、回転しないように、底面方向天面方向回転止支持部兼、横擦れ防止支持部としての曲げ部１１−１−２が設けられている。この曲げ部１１−１−２が他の電線１１−２，１１−３の回転や横擦れを抑制するように支持する。
【００３５】
さらに、電線１１−１には、載置された電線１１−２，１１−３の底面方向への回転を防止するように、電線底面方向回転止支持部としての曲げ部１１−１−３が設けられている。曲げ部１１−１−２でも回転防止は十分になされているが、更に強固に回転を防止するために曲げ部１１−１−３を追加している。
【００３６】
また、電線１１−１には、載置された電線１１−２，１１−３の底面方向への回転を防止するように、電線底面方向回転止支持部としての曲げ部１１−１−４が設けられている。曲げ部１１−１−２，１１−１−３でも回転防止は十分になされているが、更に強固に回転を防止するために曲げ部１１−１−４を追加している。
【００３７】
さらに、電線１１−１には、載置された電線１１−２，１１−３を保持するように、配線溝先端電線閉部としての曲げ部１１−１−５が設けられている。曲げ部１１−１−５と溝１１−１−１，１１−１−６との間の図７の紙面の縦方向に沿った距離は、載置される電線１１−２，１１−３の直径より若干大きい。これにより、曲げ部１１−１−５は、載置される電線１１−２，１１−３を保持できる。
【００３８】
次に、電線１１−２について図８を用いて説明する。図８は、電線１１−２の形状等の構成を示す図である。
【００３９】
電線１１−２は、例えば、正転用電磁接触器２−１のＬ２端子と逆転用電磁接触器２−２のＬ２端子とを接続する電源側配線５−２に対応している（図１参照）。電線１１−２は、電線１１−１の溝１１−１−１に載置される部位として、被載置部１１−２−１を有する。被載置部１１−２−１は、例えば、溝１１−１−１に対応した形状を有しており、電線１１−１〜１１−３を組合せる際に溝１１−１−１等に嵌め込まれる位置となる。
【００４０】
また、電線１１−２には、電線１１−２の電線１１−１に対する横擦れを防止するとともに、電線１１−２の電線１１−１に対する底面方向の回転を防止するように、電線底面天面方向回転止用曲げ兼、横擦れ防止用溝としての溝１１−２−２が設けられている。
【００４１】
さらに、電線１１−２には、電線１１−２の電線１１−１に対する底面方向の回転を防止するように、電線底面方向回転止用曲げとしての曲げ部１１−２−３が設けられている。例えば、電線１１−１〜１１−３を組合せる際に、電線１１−２の曲げ部１１−２−３を電線１１−１の曲げ部１１−１−３へ当接させることにより、底面方向への回転防止を強固にしている。
【００４２】
また、電線１１−２には、電線１１−２の電線１１−３に対する天面方向の回転を防止するように、電線天面方向回転止用曲げとしての曲げ部１１−２−４が設けられている。例えば、電線１１−１〜１１−３を組合せる際に、電線１１−２の曲げ部１１−２−４を電線１１−３の曲げ部１１−３−４へ当接することにより、天面方向への回転を防止している。
【００４３】
次に、電線１１−３について図９を用いて説明する。図９は、電線１１−３の形状等の構成を示す図である。
【００４４】
電線１１−３は、例えば、正転用電磁接触器２−１のＬ３端子と逆転用電磁接触器２−２のＬ３端子とを接続する電源側配線５−３に対応している（図１参照）。電線１１−３は、電線１１−１の溝１１−１−１，１１−１−６に載置される部位として、被載置部１１−３−１を有する。被載置部１１−３−１は、例えば、溝１１−１−１に対応した形状を有しており、電線１１−１〜１１−３を組合せる際に溝１１−１−１等に嵌め込まれる位置となる。
【００４５】
また、電線１１−３には、電線１１−３の電線１１−１に対する横擦れを防止するとともに、電線１１−３の電線１１−１に対する底面方向の回転を防止するように、電線底面方向回転止支持部兼、横擦れ防止用溝としての溝１１−３−２が設けられている。
【００４６】
さらに、電線１１−３には、電線１１−３の電線１１−１に対する底面方向の回転を防止するように、電線底面方向回転止用曲げとしての曲げ部１１−３−３が設けられている。例えば、電線１１−１〜１１−３を組合せる際に、電線１１−３の曲げ部１１−３−３を電線１１−１の曲げ部１１−１−４へ当接させることにより、底面方向への回転防止を強固にしている。
【００４７】
また、電線１１−３には、電線１１−３の電線１１−１に対する天面方向の回転を防止するように、電線天面方向回転止支持部としての曲げ部１１−３−４が設けられている。例えば、電線１１−１〜１１−３を組合せる際に、電線１１−３の曲げ部１１−３−４を電線１１−２の曲げ部１１−２−４へ当接することにより天面方向への回転を防止している。
【００４８】
さらに、電線１１−３には、電線１１−３の電線１１−１に対する天面方向の回転を防止するように、電線天面方向回転止用曲げとしての曲げ部１１−３−５が設けられている。曲げ部１１−３−４でも回転防止は十分になされているが、更に天面方向への回転防止を強固にするために曲げ部１１−３−５を追加している。
【００４９】
次に、３本の電線１１−１〜１１−３の一体化組立方法について以下に説明する。
【００５０】
まず、電線１１−３の溝１１−３−２が電線１１−１の曲げ部１１−１−２に合うようにあてがい、電線１１−３の被載置部１１−３−１を電線１１−１の溝１１−１−１，１１−１−６の電線開側へ載置する。このとき、電線１１−１と電線１１−３とは互いに固定された状態ではない。よって、次の電線１１−２を組み付けるまでは外力により電線１１−１と電線１１−３との位置関係を固定しておく必要がある。
【００５１】
次に、電線１１−２の溝１１−２−２が電線１１−１の曲げ部１１−１−２に合うようにあてがい、電線１１−２の被載置部１１−２−１を電線１１−１の溝１１−１−１，１１−１−６の電線閉側へ載置する。電線１１−２を載置するにあたり、電線１１−２の直径よりも短い、曲げ部１１−１−５の電線表面と先に載置された電線１１−３の電線表面との間を圧入により通過させる。通過後、電線１１−２は電線１１−１の溝１１−１−１，１１−１−６の定位置へ納まり、３本の電線１１−１〜１１−３の一体化が完了する。一体化が完了すると３本の電線１１−１〜１１−３は各曲げにより互いに拘束された状態となるため、各電線１１−１〜１１−３が相対的に停止した状態を保つことが可能である。
【００５２】
すなわち、３本の電線１１−１〜１１−３における３次元的な曲げ形状は、３本の電線１１−１〜１１−３を互いに３次元的に保持させ一体化させる。また、３本の電線１１−１〜１１−３における３次元的な曲げ形状は、例えば、３本の電線１１−１〜１１−３の位置関係を保持させる。
【００５３】
以上のように、実施の形態１では、複数の電線１１−１〜１１−３が、互いに組み合されて一体化されている。具体的には、複数の電線１１−１〜１１−３は、複数の電線１１−１〜１１−３を互いに保持させ一体化させる３次元的な曲げ形状を有する。すなわち、配線する電線に３次元的な曲げ形状を加えることにより３次元的な曲げ形状で互いの電線を勘合させ拘束させて複数の電線を一体化させる。これにより、複数の電線１１−１〜１１−３を一体化するために電線以外の別の部材を使用する必要がなく、別の部材を用いることなく複数の電線１１−１〜１１−３を一体化できる。したがって、端子接続配線１００のコストを抑制できる。
【００５４】
また、実施の形態１では、複数の電線１１−１〜１１−３において、電線１１−１が、溝形状（例えば、溝１１−１−１，１１−１−６）を有し、電線１１−２，１１−３が、その溝形状に載置される。これにより、簡易に複数の電線を一体化できる。
【００５５】
また、実施の形態１では、複数の電線１１−１〜１１−３において、電線１１−２，１１−３は、電線１１−１と電線１１−２，１１−３との３次元的な位置関係が予定された位置関係に保持されるように載置される。これにより、複数の電線１１−１〜１１−３を相対的に簡易に固定でき、複数の電線１１−１〜１１−３を一定の形状に保持させることが容易である。したがって、複数の電線１１−１〜１１−３の取り扱いが容易になる。
【００５６】
また、実施の形態１では、電線１１−１と電線１１−２，１１−３との３次元的な位置関係が予定された位置関係に保持されるので、電線１１−１と電線１１−２，１１−３との３次元的な位置関係を容易に調整でき、位置調整のための時間を短縮できる。
【００５７】
例えば、図１８及び図１９に示すように、予定された位置関係を、正転用電磁接触器２−１及び逆転用電磁接触器２−２における接続すべき端子の位置関係に対応させておく場合、複数の電線１１−１〜１１−３を一体化させることで複数の電線１１−１〜１１−３の位置関係を接続すべき端子の位置関係に対応させることができる。これにより、複数の電線１１−１〜１１−３を機器（例えば、正転用電磁接触器２−１及び逆転用電磁接触器２−２）に容易に取り付けることができる。
【００５８】
また、実施の形態１では、複数の電線１１−１〜１１−３が、３次元的な曲げ形状に対して圧入される電線を有する。例えば、電線１１−１へ電線１１−３が載置された状態で電線１１−２を載置するにあたり、電線１１−２の直径よりも短い、曲げ部１１−１−５の電線表面と先に載置された電線１１−３の電線表面との間を圧入により通過させる。これにより、複数の電線１１−１〜１１−３が分解しないようにすることが容易である。
【００５９】
また、実施の形態１では、複数の電線１１−１〜１１−３において、第１の電線１１−１と電線１１−２，１１−３とは、互いに３次元的な動きを規制するように構成されている。３次元的な動きは、例えば、電線に交差する方向の動き、電線に沿った方向の動き、及び回転方向の動きの少なくとも１つを含む。これにより、複数の電線１１−１〜１１−３が組み合わされた後において、電線１１−１〜１１−３が相互に回転、横ずれ、縦ずれ、分解しないようにすることができ、複数の電線１１−１〜１１−３の３次元的な位置関係を容易に保持でき、複数の電線１１−１〜１１−３を一定の形状に保持できる。
【００６０】
なお、実施の形態１における３次元的な曲げ形状は、負荷側配線６−１〜６−３（図１参照）に適用されてもよい。
【００６１】
実施の形態２．
次に、実施の形態２にかかる端子接続配線２００について説明する。以下では、実施の形態１と異なる部分を中心に説明する。
【００６２】
実施の形態１では、並んだ２本の電線を天面方向から見たときに長手方向に沿って他の電線で抱え込むように複数の電線を一体化しているが、実施の形態２では、並んだ２本の電線を天面方向から見たときに短手方向に沿って他の電線で抱え込むように複数の電線を一体化する。本実施の形態では、例えば負荷側配線６−１〜６−３（図１参照）としての端子接続配線２００の実施の形態を説明する。
【００６３】
電源側配線６−１〜６−３としての端子接続配線２００の構成について図１０〜図１４を用いて説明する。図１０は、端子接続配線２００の構成を示す天面図である。図１１は、端子接続配線２００の構成を示す正面図である。図１２は、端子接続配線２００の構成を示す底面図である。図１３は、端子接続配線２００の構成を示す側面図である。図１４は、端子接続配線２００の構成を示す斜視図である。
【００６４】
端子接続配線２００は、図１０〜図１４に示すように、互いに組み合されて一体化された複数の電線１２−１〜１２−３を有する。例えば、端子接続配線２００では、並んだ２本の電線を天面方向（図１０参照）から見たときに短手方向に沿って他の電線で抱え込むように複数の電線を一体化している。
【００６５】
各電線１２−１〜１２−３は、導線１２−１ａ，１２−２ａ，１２−３ａが絶縁被膜１２−１ｂ，１２−２ｂ，１２−３ｂで絶縁被覆されている（図１０参照）。複数の電線１２−１〜１２−３は、図１０〜図１４に示すように、複数の電線１２−１〜１２−３を互いに保持させ一体化させる３次元的な曲げ形状を有する。すなわち、図１０〜図１４に示す３次元的な曲げ形状は、複数の電線１２−１〜１２−３を互いに３次元的に保持させ一体化させるように構成されている。また、図１０〜図１４に示す３次元的な曲げ形状は、例えば、複数の電線１２−１〜１２−３の位置関係を保持するように構成されている。
【００６６】
例えば、導線１２−１ａ，１２−２ａ，１２−３ａ及び／又は絶縁被膜１２−１ｂ，１２−２ｂ，１２−３ｂを可塑性が高くなるような形状にしたり可塑性が高くなるような材料で形成したりする。これにより、図１０〜図１４に示す３次元的な曲げ形状を安定的に形成及び維持できる。
【００６７】
次に、電線１２−１について図１５を用いて説明する。図１５は、電線１２−１の形状等の構成を示す図である。
【００６８】
電線１２−１は、例えば、正転用電磁接触器２−１のＴ１端子と逆転用電磁接触器２−２のＴ３端子とを接続する負荷側配線６−３に対応している（図１参照）。電線１２−１は、他の電線１２−２，１２−３を載置可能な溝１２−１−１，１２−１−３を有する。他の２本の電線１２−２，１２−３は、溝１２−１−１，１２−１−３を介して電線１２−１上に安定的に載置することが可能である。溝１２−１−１，１２−１−３のうち狭い方の溝１２−１−１の図１５の紙面の縦方向の幅は、載置される各電線１２−２，１２−３の直径と同じか各電線１２−２，１２−３の直径よりも若干狭い幅である。これにより、溝１２−１−１，１２−１−３は、載置される電線１２−２，１２−３を保持できる。
【００６９】
また、電線１２−１には、載置された電線１２−２，１２−３が横擦れしないように、横擦れ防止支持部としての曲げ部１２−１−４，１２−１−５が設けられている。この曲げ部１２−１−４，１２−１−５が他の電線１２−２，１２−３の横擦れを抑制するように支持する。
【００７０】
さらに、電線１２−１には、載置された電線１２−２，１２−３を保持するように、配線溝先端電線閉部としての曲げ部１２−１−２が設けられている。曲げ部１２−１−２と溝１１−１−１，１１−１−３との間の図１５の紙面に垂直な方向の距離は、載置される電線１１−２，１１−３の直径の合計より若干大きい。これにより、曲げ部１２−１−２は、載置される電線１２−２，１２−３を保持できる。
【００７１】
また、電線１２−１には、載置された電線１１−２，１１−３を保持するように、直線部１２−１−６が設けられている。
【００７２】
次に、電線１２−２について図１６を用いて説明する。図１６は、電線１２−２の形状等の構成を示す図である。
【００７３】
電線１２−２は、例えば、正転用電磁接触器２−１のＴ２端子と逆転用電磁接触器２−２のＴ２端子を接続する負荷側配線６−２に対応している（図１参照）。電線１２−２は、電線１２−１の溝１２−１−３に載置される部位として、曲げ部１２−２−１から曲げ部１２−２−２にわたる位置に被載置部１２−２−４を有する。被載置部１２−２−４は、例えば、溝１２−１−３に対応した形状を有しており、電線１２−２と電線１２−１とを組み合わせる際に溝１２−１−３等に嵌め込まれる位置となる。
【００７４】
また、電線１２−２には、電線１２−２の電線１１−１に対する天面方向への回転を防止するとともに、電線１２−２の電線１１−１に対する横擦れを防止するように、天面方向回転止支持部、兼横擦れ防止曲げとしての曲げ部１２−２−２が設けられている。
【００７５】
また、電線１２−２には、電線１２−２が底面方向へ回転することを防止するとともに、電線１２−２が電線１２−１に相対して横擦れすることを防止するように、底面方向回転止用曲げ、兼横擦れ防止、兼支持部としての曲げ部１２−２−１が設けられている。例えば、電線１１−１〜１１−３を組合せる際に、電線１２−２の曲げ部１２−２−１を電線１２−１の曲げ部１２−１−２と当接させることにより、電線１２−２が底面方向へ回転することを防止する。また、電線１２−２の曲げ部１２−２−１を電線１２−１の曲げ部１２−１−５と当接させることにより、電線１２−２が電線１２−１に相対して横擦れすることを防止している。
【００７６】
さらに、電線１２−２には、電線１２−２の天面方向への回転を防止するように、天面方向回転止用曲げとしての曲げ部１２−２−３が設けられている。例えば、電線１２−１〜１２−３を組合せる際に、電線１２−２の曲げ部１２−２−３を電線１２−１の直線部１２−１−６と当接させることにより、電線１２−２の天面方向への回転を防止している。
【００７７】
次に、電線１２−３について図１７を用いて説明する。図１７は、電線１２−３の形状等の構成を示す図である。
【００７８】
電線１２−３は、例えば、正転用電磁接触器２−１のＴ３端子と逆転用電磁接触器２−２のＴ１端子とを接続する負荷側配線６−１に対応している（図１参照）。電線１２−３は、電線１２−１の溝１２−１−１に載置される部位として、曲げ部１２−２−１から曲げ部１２−２−２にわたる位置に被載置部１２−２−４を有する。被載置部１２−２−４は、例えば、溝１２−１−３に対応した形状を有しており、電線１２−２と電線１２−１とを組み合わせる際に溝１２−１−１等に嵌め込まれる位置となる。
【００７９】
また、電線１２−３には、電線１２−３の電線１２−１に対する底面方向への回転を防止するように、底面方向回転止用曲げとしての曲げ部１２−３−１が設けられている。例えば、電線１２−１〜１２−３を組合せる際に、電線１２−３の曲げ部１２−３−１を電線１２−２の曲げ部１２−２−１と当接させることにより、電線１２−３の底面方向への回転を防止する。
【００８０】
さらに、電線１２−３には、電線１２−３の電線１２−１に対する天面方向への回転を防止するように、天面方向回転止用曲げとしての曲げ部１２−３−２が設けられている。例えば、電線１２−１〜１２−３を組合せる際に、電線１２−３の曲げ部１２−３−２を電線１２−２の曲げ部１２−２−２と当接させることにより、電線１２−３の天面方向への回転を防止する。
【００８１】
次に、３本の電線１１−１〜１１−３の一体化組立方法について以下に説明する。
【００８２】
まず、電線１２−１を配置する。次に電線１２−３の被膜の付いていない端子部の軸方向を電線１２−１の溝１２−１−１の深さ方向と平行に配置し、電線１２−３の被載置部１２−３−３を電線１２−１の溝１２−１−３へ挿入する。挿入深さは、例えば、電線１２−３が電線１２−１の溝１２−１−１の最奥部へ当接するまで押し込むような深さである。例えば当接が完了した後、電線１２−１の被膜の付いていない端子部の軸方向と電線１２−３の被膜の付いていない端子部の軸方向とが平行となるまで電線１２−３を天面方向へ回転させる。ここまでの工程にて電線１２−３の配置は完了するが、電線１２−１と電線１２−３とは互いに固定された状態ではない。よって、次の電線１２−２を組み付けるまでは外力により電線１２−１と電線１２−３との位置関係を固定しておく必要がある。
【００８３】
次に、電線１２−３の載置を完了した状態で電線１２−１の被膜の付いていない端子部の軸方向を電線１２−１の溝１２−１−１の深さ方向と平行に配置し、電線１２−２の被載置部１２−２−４を電線１２−１の溝１２−１−１へ挿入する。挿入深さは、例えば、電線１２−２が既に載置済の電線１２−３へ当接するまで押し込むような深さである。例えば当接が完了した後、電線１２−１の被膜の付いていない端子部の軸方向と電線１２−２の被膜の付いていない端子部の軸方向とが平行となるまで電線１２−２を天面方向へ回転させる。回転途中に電線１２−２の曲げ部１２−２−１は電線１２−１の曲げ部１２−１−４の電線の正面側表面へ当接し回転が阻まれる。ここで電線１２−２の曲げ部１２−２−１へ電線１２−１の曲げ部１２−１−４から溝奥部方向の圧力を加え、電線１２−１の曲げ部１２−１−４を弾性変形させて電線１２−１の被膜の付いていない端子部の軸方向と電線１２−２の被膜の付いていない端子部の軸方向とが平行となるまで電線１２−２を天面方向へ回転させる。これにより、電線１２−２の曲げ部１２−２−１は電線１２−１の曲げ部１２−１−４の電線の背面側表面へ当接して定位置へ納まり、３本の電線１２−１〜１２−３の一体化が完了する。一体化が完了すると３本の電線１２−１〜１２−３は各曲げにより互いに拘束された状態となるため、各電線１２−１〜１２−３が相対的に停止した状態を保つことが可能である。
【００８４】
以上のように、実施の形態２では、複数の電線１２−１〜１２−３が、互いに組み合されて一体化されている。具体的には、複数の電線１２−１〜１２−３は、複数の電線１２−１〜１２−３を互いに保持させ一体化させる３次元的な曲げ形状を有する。すなわち、配線する電線に３次元的な曲げ形状を加えることにより３次元的な曲げ形状で互いの電線を勘合させ拘束させて複数の電線を一体化させる。これにより、複数の電線１２−１〜１２−３を一体化するために電線以外の別の部材を使用する必要がなく、別の部材を用いることなく複数の電線１２−１〜１２−３を一体化できる。したがって、端子接続配線２００のコストを抑制できる。
【００８５】
また、実施の形態２では、電線１２−１と電線１２−２，１２−３との３次元的な位置関係が予定された位置関係に保持されるので、電線１２−１と電線１２−２，１２−３との３次元的な位置関係を容易に調整でき、位置調整のための時間を短縮できる。
【００８６】
例えば、図１９及び図２０に示すように、予定された位置関係を、正転用電磁接触器２−１及び逆転用電磁接触器２−２における接続すべき端子の位置関係に対応させておく場合、複数の電線１２−１〜１２−３を一体化させることで複数の電線１２−１〜１２−３の位置関係を接続すべき端子の位置関係に対応させることができる。これにより、複数の電線１２−１〜１２−３を機器（例えば、正転用電磁接触器２−１及び逆転用電磁接触器２−２）に容易に取り付けることができる。
【００８７】
なお、実施の形態１における３次元的な曲げ形状と実施の形態２における３次元的な曲げ形状との一方が、電源側配線５−１〜５−３及び負荷側配線６−１〜６−２の両方に適用されてもよい。あるいは、実施の形態１における３次元的な曲げ形状と実施の形態２における３次元的な曲げ形状との一方が、電源側配線５−１〜５−３に適用され、実施の形態１における３次元的な曲げ形状と実施の形態２における３次元的な曲げ形状との他方が、負荷側配線６−１〜６−２に適用されてもよい。
【００８８】
実施の形態３．
次に、実施の形態３にかかる端子接続配線３００について説明する。以下では、実施の形態１、実施の形態２と異なる部分を中心に説明する。
【００８９】
実施の形態１、実施の形態２では、特定の一本の電線で複数の電線を抱え込むように複数の電線を一体化しているが、実施の形態３では、複数の電線が相互に抱え込むように複数の電線を一体化する。本実施の形態では、例えば負荷側配線６−１〜６−３（図１参照）としての端子接続配線３００の実施の形態を説明する。
【００９０】
負荷側配線６−１〜６−３としての端子接続配線３００の構成について図２１〜図２４を用いて説明する。図２１は、端子接続配線３００の構成を示す天面図である。図２２は、端子接続配線３００の構成を示す正面図である。図２３は、端子接続配線３００の構成を示す底面図である。図２４は、端子接続配線３００の構成を示す側面図である。
【００９１】
端子接続配線３００は、図２１〜図２４に示すように、互いに組み合されて一体化された複数の電線１５−１〜１５−３を有する。例えば、端子接続配線３００では、複数の電線が相互に抱え込むように複数の電線を一体化している。
【００９２】
各電線１５−１〜１５−３は、導線１５−１ａ，１５−２ａ，１５−３ａが絶縁被膜１５−１ｂ，１５−２ｂ，１５−３ｂで絶縁被覆されている（図２１参照）。複数の電線１５−１〜１５−３は、図２１〜図２４に示すように、複数の電線１５−１〜１５−３を互いに保持させ一体化させる３次元的な曲げ形状を有する。すなわち、図２１〜図２４に示す３次元的な曲げ形状は、複数の電線１５−１〜１５−３を互いに３次元的に保持させ一体化させるように構成されている。また、図２１〜図２４に示す３次元的な曲げ形状は、例えば、複数の電線１５−１〜１５−３の位置関係を保持するように構成されている。
【００９３】
例えば、導線１５−１ａ，１５−２ａ，１５−３ａ及び／又は絶縁被膜１５−１ｂ，１５−２ｂ，１５−３ｂを可塑性が高くなるような形状にしたり可塑性が高くなるような材料で形成したりする。これにより、図２１〜図２４に示す３次元的な曲げ形状を安定的に形成及び維持できる。
【００９４】
次に、電線１５−１について図２５を用いて説明する。図２５は、電線１５−１の形状等の構成を示す図である。
【００９５】
電線１５−１は、例えば、正転用電磁接触器２−１のＴ１端子と逆転用電磁接触器２−２のＴ３端子とを接続する負荷側配線６−３に対応している（図１参照）。電線１５−１は、背面止直線部としての直線部１５−１−１を有する。例えば、電線１５−１〜１５−３を組み合わせる際に、電線１５−１の直線部１５−１−１を電線１５−３の曲げ部１５−３−１に当接させる。これにより、直線部１５−１−１は、電線１５−１の電線１５−２，１５−３に対する背面方向への止めとして機能する。
【００９６】
また、電線１５−１には、電線１５−１の電線１５−２，１５−３に対する正面方向へのずれを防止するように、右正面止曲げ部としての曲げ部１５−１−２と左正面止曲げ部としての曲げ部１５−１−３とが設けられている。例えば、電線１５−１〜１５−３を組み合わせる際に、電線１５−１の曲げ部１５−１−２を電線１５−２の曲げ部１５−２−２と当接させるとともに、電線１５−１の曲げ部１５−１−３を電線１５−２の曲げ部１５−２−３と当接させる。これにより、曲げ部１５−１−２及び曲げ部１５−１−３は、電線１５−１の電線１５−２，１５−３に対する正面方向への止めとして機能する。
【００９７】
この正面方向の止め（曲げ部１５−１−２及び曲げ部１５−１−３）及び背面方向の止め（直線部１５−１−１）により、電線１５−１の電線１５−２，１５−３に対する正面及び背面方向への動き及び回転を封じている。
【００９８】
また、電線１５−１には、電線１５−１の電線１５−２，１５−３に対する回転する動き及び左右側面方向への動きを防止するように、止部右としての曲げ部１５−１−４と、止部左としての曲げ部１５−１−５とが設けられている。例えば、電線１５−１〜１５−３を組み合わせる際に、電線１５−１の曲げ部１５−１−４を電線１５−２の曲げ部１５−２−４と当接させるとともに、電線１５−１の曲げ部１５−１−５を電線１５−３の曲げ部１５−３−４と当接させる。これにより、曲げ部１５−１−４及び曲げ部１５−１−５は、電線１５−１の電線１５−２，１５−３に対する、背面止直線部１５−１−１付近を中心として回転する動き及び左右側面方向への動きを封じている。
【００９９】
次に、電線１５−２について図２６を用いて説明する。図２６は、電線１５−２の形状等の構成を示す図である。
【０１００】
電線１５−２は、例えば、正転用電磁接触器２−１のＴ２端子と逆転用電磁接触器２−２のＴ２端子とを接続する負荷側配線６−２に対応している（図１参照）。電線１５−２は、背面止直線部としての直線部１５−２−１を有する。例えば、電線１５−１〜１５−３を組み合わせる際に、電線１５−２の直線部１５−２−１を電線１５−１の直線部１５−１−１に当接させる。これにより、直線部１５−２−１は、電線１５−２の電線１５−１，１５−３に対する背面方向への止めとして機能する。
【０１０１】
また、電線１５−２には、電線１５−２の電線１５−１，１５−３に対する正面方向への動きを防止するように、右正面止曲げ部としての曲げ部１５−２−２と左正面止曲げ部としての曲げ部１５−２−３とが設けられている。例えば、電線１５−１〜１５−３を組み合わせる際に、電線１５−２の曲げ部１５−２−２を電線１５−３の直線部１５−３−２に当接させるとともに、電線１５−２の曲げ部１５−２−３を電線１５−３の直線部１５−３−３と当接させる。これにより、曲げ部１５−２−２及び曲げ部１５−２−３は、電線１５−２の電線１５−１，１５−３に対する正面方向への止めとして機能する。
【０１０２】
この正面方向の止め（曲げ部１５−２−２及び曲げ部１５−２−３）及び背面方向の止め（直線部１５−２−１）により、電線１５−２の電線１５−１，１５−３に対する正面及び背面方向への動き及び回転を封じている。
【０１０３】
また、電線１５−２には、電線１５−２の電線１５−１，１５−３に対する回転する動き及び左右側面方向への動きを防止するように、止部右としての曲げ部１５−２−４と、止部左としての曲げ部１５−２−５とが設けられている。例えば、電線１５−１〜１５−３を組み合わせる際に、電線１５−２の曲げ部１５−２−４を電線１５−１の曲げ部１５−１−４と当接させるとともに、電線１５−２の曲げ部１５−２−５を電線１５−３の曲げ部１５−３−４と当接させる。これにより、曲げ部１５−２−４及び曲げ部１５−２−５は、電線１５−２の電線１５−１，１５−３に対する、背面止直線部１５−２−１付近を中心として回転する動き及び左右側面方向への動きを封じている。
【０１０４】
次に、電線１５−３について図２７を用いて説明する。図２７は、電線１５−３の形状等の構成を示す図である。
【０１０５】
電線１５−３は、例えば、正転用電磁接触器２−１のＴ３端子と逆転用電磁接触器２−２のＴ１端子とを接続する負荷側配線６−１に対応している（図１参照）。電線１５−３は、背面側電線保持部としての曲げ部１５−３−１を有する。曲げ部１５−３−１には、電線１５−１の直線部１５−１−１と電線１５−２の直線部１５−２−１とが順に重なって当接される。これにより、曲げ部１５−３−１は、電線１５−１と電線１５−２との電線１５−３に対する背面方向への動きを封じている。
【０１０６】
また、電線１５−３には、正面右側電線保持部としての直線部１５−３−２と正面左側電線保持部としての直線部１５−３−３とが設けられている。直線部１５−３−２には、電線１５−１の曲げ部１５−１−２と電線１５−２の曲げ部１５−２−２とが順に重なって当接され、直線部１５−３−３には、電線１５−１の曲げ部１５−１−３と電線１５−２の曲げ部１５−２−３とが順に重なって当接される。これにより、直線部１５−３−２及び直線部１５−３−３は、電線１５−１と電線１５−２との電線１５−３に対する正面方向への動きを封じている。
【０１０７】
次に、３本の電線１５−１〜１５−３の一体化組立方法について以下に説明する。
【０１０８】
まず、電線１５−３の正面側へ電線１５−１を配置し、電線１５−１及び電線１５−３を正面方向の向きを揃えて互いに離して配置する。次に、電線１５−１の直線部１５−１−１の中心付近で正面に垂直な軸を中心に左方向へ５０度程度回転させる。その状態を保ったまま電線１５−３の曲げ部１５−３−１と電線１５−１の直線部１５−１−１とを当接させ、電線１５−１の被膜の付いていない端子部の軸方向と電線１５−３の被膜の付いていない端子部の軸方向とが平行となるまで電線１５−１を正面に垂直な軸を中心に右方向へ回転させる。ここまでの工程にて電線１５−１の配置は完了するが、電線１５−１と電線１５−３とは互いに固定された状態ではない。よって、次の電線１５−２を組み付けるまでは外力により電線１５−１と電線１５−３との位置関係を固定しておく必要がある。
【０１０９】
次に、電線１５−１の載置を完了した状態で電線１５−３の正面側へ電源１５−２を配置し、電線１５−２の天面方向を電線１５−３の正面方向に合わせて両者を離して配置する。次に、電線１５−２の直線部１５−２−１の中心付近で電線１５−２の底面に垂直な軸を中心に右方向へ５０度程度回転させる。その状態を保ったまま電線１５−１の直線部１５−１−１と電線１５−２の直線部１５−２−１とを当接させる。次に、その当接点において、電線１５−２の右側面に垂直な軸を中心に電線１５−２を右回転させると同時に、その当接点において電線１５−３の正面に垂直な軸を中心に電線１５−２を左回転させ、電線１５−３の被膜の付いていない端子部の軸方向と電線１５−２の被膜の付いていない端子部の軸方向とが平行となるまで両回転を行う。被膜の付いていない端子部の軸方向が一致したとき、電線１５−１の曲げ部１５−１−３と電線１５−３の直線部１５−３−３との間に電線１５−２の曲げ部１５−２−３が挟み込まれ、電線１５−１の曲げ部１５−１−２と電線１５−３の直線部１５−３−２との間に電線１５−２の曲げ部１５−２−２が挟み込まれる形状となって３本の電線１５−１〜１５−３の一体化が完了する。一体化が完了すると３本の電線１５−１〜１５−３は各曲げにより互いに拘束された状態となるため、各電線１５−１〜１５−３が相対的に停止した状態を保つことが可能である。
【０１１０】
以上のように、実施の形態３では、複数の電線１５−１〜１５−３が、互いに組み合されて一体化されている。具体的には、複数の電線１５−１〜１５−３は、複数の電線１５−１〜１５−３を互いに保持させ一体化させる３次元的な曲げ形状を有する。すなわち、配線する電線に３次元的な曲げ形状を加えることにより３次元的な曲げ形状で互いの電線を勘合させ拘束させて複数の電線を一体化させる。これにより、複数の電線１５−１〜１５−３を一体化するために電線以外の別の部材を使用する必要がなく、別の部材を用いることなく複数の電線１５−１〜１５−３を一体化できる。したがって、端子接続配線３００のコストを抑制できる。
【０１１１】
また、実施の形態３では、電線１５−１，１５−２，１５−３との相互間における３次元的な位置関係が予定された位置関係に保持されるので、電線１５−１，１５−２，１５−３との相互間における３次元的な位置関係を容易に調整でき、位置調整のための時間を短縮できる。
【０１１２】
例えば、図３６及び図３７に示すように、予定された位置関係を、正転用電磁接触器２−１及び逆転用電磁接触器２−２における接続すべき端子の位置関係に対応させておく場合、複数の電線１５−１〜１５−３を一体化させることで複数の電線１５−１〜１５−３の位置関係を接続すべき端子の位置関係に対応させることができる。これにより、複数の電線１５−１〜１５−３を機器（例えば、正転用電磁接触器２−１及び逆転用電磁接触器２−２）に容易に取り付けることができる。
【０１１３】
なお、実施の形態１〜実施の形態３における３次元的な曲げ形状とは、いずれか１つが電源側配線５−１〜５−３及び負荷側配線６−１〜６−２の両方に適用されてもよい。あるいは、実施の形態１〜実施の形態３における３次元的な曲げ形状とにおけるいずれか１つが、電源側配線５−１〜５−３に適用され、実施の形態１〜実施の形態３における３次元的な曲げ形状とにおける他の１つが、負荷側配線６−１〜６−２に適用されてもよい。
【０１１４】
実施の形態４．
次に、実施の形態４にかかる端子接続配線４００について説明する。以下では、実施の形態１、実施の形態２と異なる部分を中心に説明する。
【０１１５】
実施の形態１、実施の形態２では、特定の一本の電線で複数の電線を抱え込むように複数の電線を一体化しているが、実施の形態４では、複数の電線が相互に抱え込むように複数の電線を一体化する。本実施の形態では、例えば電源側配線５−１〜５−３（図１参照）としての端子接続配線４００の実施の形態を説明する。
【０１１６】
電源側配線５−１〜５−３としての端子接続配線４００の構成について図２８〜図３１を用いて説明する。図２８は、端子接続配線４００の構成を示す天面図である。図２９は、端子接続配線４００の構成を示す正面図である。図３０は、端子接続配線４００の構成を示す底面図である。図３１は、端子接続配線４００の構成を示す側面図である。
【０１１７】
端子接続配線４００は、図２８〜図３１に示すように、互いに組み合されて一体化された複数の電線１６−１〜１６−３を有する。例えば、端子接続配線４００では、複数の電線が相互に抱え込むように複数の電線を一体化している。
【０１１８】
各電線１６−１〜１６−３は、導線１６−１ａ，１６−２ａ，１６−３ａが絶縁被膜１６−１ｂ，１６−２ｂ，１６−３ｂで絶縁被覆されている（図３０参照）。複数の電線１６−１〜１６−３は、図２８〜図３１に示すように、複数の電線１６−１〜１６−３を互いに保持させ一体化させる３次元的な曲げ形状を有する。すなわち、図２８〜図３１に示す３次元的な曲げ形状は、複数の電線１６−１〜１６−３を互いに３次元的に保持させ一体化させるように構成されている。また、図２８〜図３１に示す３次元的な曲げ形状は、例えば、複数の電線１６−１〜１６−３の位置関係を保持するように構成されている。
【０１１９】
例えば、導線１６−１ａ，１６−２ａ，１６−３ａ及び／又は絶縁被膜１６−１ｂ，１６−２ｂ，１６−３ｂを可塑性が高くなるような形状にしたり可塑性が高くなるような材料で形成したりする。これにより、図２８〜図３１に示す３次元的な曲げ形状を安定的に形成及び維持できる。
【０１２０】
次に、電線１６−１について図３２を用いて説明する。図３２は、電線１６−１の形状等の構成を示す図である。
【０１２１】
電線１６−１は、例えば、正転用電磁接触器２−１のＬ１端子と逆転用電磁接触器２−２のＬ１端子を接続する電源側配線５−１に対応している（図１参照）。電線１６−１は、背面止直線部としての直線部１６−１−１を有する。例えば、電線１６−１〜１６−３を組み合わせる際に、電線１６−１の直線部１６−１−１を電線１６−３の直線部１６−３−１に当接させる。これにより、直線部１６−１−１は、電線１６−１の電線１６−２，１６−３に対する背面方向への止めとして機能する。
【０１２２】
また、電線１６−１には、電線１６−１の電線１６−２，１６−３に対する正面方向へのずれを防止するように、右正面止曲げ部としての曲げ部１６−１−２と左正面止曲げ部としての曲げ部１６−１−３とが設けられている。例えば、電線１６−１〜１６−３を組み合わせる際に、電線１６−１の曲げ部１６−１−２を電線１６−２の直線部１６−２−２と当接させるとともに、電線１６−１の曲げ部１６−１−３を電線１６−２の直線部１６−２−３と当接させる。これにより、曲げ部１６−１−２及び曲げ部１６−１−３は、電線１６−１の電線１６−２，１６−３に対する正面方向への止めとして機能する。
【０１２３】
この正面方向の止め（曲げ部１６−１−２及び曲げ部１６−１−３）及び背面方向の止め（直線部１６−１−１）により、電線１６−１の電線１６−２，１６−３に対する正面及び背面方向への動き及び回転を封じている。
【０１２４】
また、電線１６−１には、電線１６−１の電線１６−２，１６−３に対する回転する動き及び左右側面方向への動きを防止するように、止部右としての曲げ部１６−１−４と、止部左としての曲げ部１６−１−５とが設けられている。例えば、電線１６−１〜１６−３を組み合わせる際に、電線１６−１の曲げ部１６−１−４を電線１６−２の曲げ部１６−２−４と当接させるとともに、電線１６−１の曲げ部１６−１−５を電線１６−２の曲げ部１６−２−６と当接させる。これにより、曲げ部１６−１−４及び曲げ部１６−１−５は、電線１６−１の電線１６−２，１６−３に対する、直線部１６−１−１付近を中心として回転する動き及び左右側面方向への動きを封じている。
【０１２５】
次に、電線１６−２について図３３を用いて説明する。図３３は、電線１６−２の形状等の構成を示す図である。
【０１２６】
電線１６−２は、例えば、正転用電磁接触器２−１のＬ２端子と逆転用電磁接触器２−２のＬ２端子とを接続する電源側配線５−２に対応している（図１参照）。電線１６−２は、背面側電線保持部としての曲げ部１６−２−１を有する。曲げ部１６−２−１には、電線１６−３の直線部１６−３−１と電線１６−１の直線部１６−１−１とが順に重なって当接される。これにより、曲げ部１６−２−１は、電線１６−１と電線１６−２との電線１６−２に対する背面方向への動きを封じている。
【０１２７】
また、電線１６−２には、正面右側電線保持部としての曲げ部１６−２−２と正面左側電線保持部としての直線部１６−２−３とが設けられている。曲げ部１６−２−２には、電線１６−３の直線部１６−３−２と電線１６−１の曲げ部１６−１−２とが順に重なって当接され、直線部１６−２−３には、電線１６−１の曲げ部１６−１−３と電線１６−３の曲げ部１６−３−３とが順に重なって当接される。これにより、直線部１６−２−２及び直線部１６−２−３は、電線１６−１と電線１６−２との電線１６−２に対する正面方向への動きを封じている。
【０１２８】
次に、電線１６−３について図３４を用いて説明する。図３４は、電線１６−３の形状等の構成を示す図である。
【０１２９】
電線１６−３は、例えば、正転用電磁接触器２−１のＬ３端子と逆転用電磁接触器２−２のＬ３端子とを接続する電源側配線５−３に対応している（図１参照）。電線１６−３は、背面止直線部としての直線部１６−３−１を有する。例えば、電線１６−１〜１６−３を組み合わせる際に、電線１６−３の直線部１６−３−１を電線１６−２の曲げ部１６−２−１に当接させる。これにより、直線部１６−３−１は、電線１６−３の電線１６−１，１６−３に対する背面方向への止めとして機能する。
【０１３０】
また、電線１６−３には、電線１６−３の電線１６−１，１６−３に対する正面方向への動きを防止するように、右正面止直線部としての直線部１６−３−２と左正面止曲げ部としての曲げ部１６−３−３とが設けられている。例えば、電線１６−１〜１６−３を組み合わせる際に、電線１６−３の直線部１６−３−２を電線１６−２の曲げ部１６−２−２に当接させるとともに、電線１６−３の曲げ部１６−３−３を電線１６−１の曲げ部１６−１−３と当接させる。これにより、曲げ部１６−３−２及び曲げ部１６−３−３は、電線１６−３の電線１６−１，１６−３に対する正面方向への止めとして機能する。
【０１３１】
この正面方向の止め（曲げ部１６−３−２及び曲げ部１６−３−３）及び背面方向の止め（直線部１６−３−１）により、電線１６−３の電線１６−１，１６−３に対する正面及び背面方向への動き及び回転を封じている。
【０１３２】
また、電線１６−３には、電線１６−３の電線１６−１，１６−３に対する回転する動き及び左右側面方向への動きを防止するように、止部右としての曲げ部１６−３−４と、止部左としての曲げ部１６−３−５とが設けられている。例えば、電線１６−１〜１６−３を組み合わせる際に、電線１６−３の曲げ部１６−３−４を電線１６−２の曲げ部１６−２−４と当接させるとともに、電線１６−３の曲げ部１６−３−５を電線１６−２の曲げ部１６−２−５と当接させる。これにより、曲げ部１６−３−４及び曲げ部１６−３−５は、電線１６−３の電線１６−１，１６−３に対する、直線部１６−３−１付近を中心として回転する動き及び左右側面方向への動きを封じている。
【０１３３】
次に、３本の電線１６−１〜１６−３の一体化組立方法について以下に説明する。
【０１３４】
まず、電線１６−２の正面側へ電線１６−３を配置し、電線１６−３及び電線１６−２を正面方向の向きを揃えて互いに離して配置する。次に、電線１６−３の直線部１６−３−１の中心付近で正面に垂直な軸を中心に右方向へ５０度程度回転させる。その状態を保ったまま電線１６−２の曲げ部１６−２−１と電線１６−３の直線部１６−３−１とを当接させ、電線１６−３の被膜の付いていない端子部の軸方向と電線１６−２の被膜の付いていない端子部の軸方向とが平行となるまで電線１６−３を正面に垂直な軸を中心に左方向へ回転させる。ここまでの工程にて電線１６−３の配置は完了するが、電線１６−３と電線１６−２とは互いに固定された状態ではない。よって、次の電線１６−３を組み付けるまでは外力により電線１６−３と電線１６−２との位置関係を固定しておく必要がある。
【０１３５】
次に、電線１６−３の載置を完了した状態で電線１６−２の正面側へ電源１６−１を配置し、電線１６−１及び電線１６−２の正面方向の向きを揃えて互いに離して配置する。次に、電線１６−１の直線部１６−１−１の中心付近で電線１６−１の正面に垂直な軸を中心に左方向へ５０度程度回転させる。その状態を保ったまま電線１６−３の直線部１６−３−１と電線１６−１の直線部１６−１−１とを当接させる。次に、その当接点において、電線１６−１の右側面に垂直な軸を中心に電線１６−１を左回転させると同時に、その当接点において電線１６−２の正面に垂直な軸を中心に電線１６−１を右回転させ、電線１６−２の被膜の付いていない端子部の軸方向と電線１６−１の被膜の付いていない端子部の軸方向とが平行となるまで両回転を行う。被膜の付いていない端子部の軸方向が一致したとき、電線１６−３の曲げ部１６−３−３と電線１６−２の直線部１６−２−３との間に電線１６−３の曲げ部１６−３−５が挟み込まれ、電線１６−１の曲げ部１６−１−２と電線１６−２の曲げ部１６−２−２との間に電線１６−３の直線部１６−３−２が挟み込まれる形状となって３本の電線１６−１〜１６−３の一体化が完了する。一体化が完了すると３本の電線１６−１〜１６−３は各曲げにより互いに拘束された状態となるため、各電線１６−１〜１６−３が相対的に停止した状態を保つことが可能である。
【０１３６】
以上のように、実施の形態４では、複数の電線１６−１〜１６−３が、互いに組み合されて一体化されている。具体的には、複数の電線１６−１〜１６−３は、複数の電線１６−１〜１６−３を互いに保持させ一体化させる３次元的な曲げ形状を有する。すなわち、配線する電線に３次元的な曲げ形状を加えることにより３次元的な曲げ形状で互いの電線を勘合させ拘束させて複数の電線を一体化させる。これにより、複数の電線１６−１〜１６−３を一体化するために電線以外の別の部材を使用する必要がなく、別の部材を用いることなく複数の電線１６−１〜１６−３を一体化できる。したがって、端子接続配線４００のコストを抑制できる。
【０１３７】
また、実施の形態４では、電線１６−１，１６−２，１６−３との相互間における３次元的な位置関係が予定された位置関係に保持されるので、電線１６−１，１６−２，１６−３との相互間における３次元的な位置関係を容易に調整でき、位置調整のための時間を短縮できる。
【０１３８】
例えば、図３５及び図３６に示すように、予定された位置関係を、正転用電磁接触器２−１及び逆転用電磁接触器２−２における接続すべき端子の位置関係に対応させておく場合、複数の電線１６−１〜１６−３を一体化させることで複数の電線１６−１〜１６−３の位置関係を接続すべき端子の位置関係に対応させることができる。これにより、複数の電線１６−１〜１６−３を機器（例えば、正転用電磁接触器２−１及び逆転用電磁接触器２−２）に容易に取り付けることができる。
【０１３９】
なお、実施の形態１〜実施の形態４における３次元的な曲げ形状は、いずれか１つが電源側配線５−１〜５−３及び負荷側配線６−１〜６−２の両方に適用されてもよい。あるいは、実施の形態１〜実施の形態４における３次元的な曲げ形状におけるいずれか１つが、電源側配線５−１〜５−３に適用され、実施の形態１〜実施の形態４における３次元的な曲げ形状における他の１つが、負荷側配線６−１〜６−２に適用されてもよい。
【０１４０】
あるいは、実施の形態１〜実施の形態４では、３本の電線を３次元的な曲げ形状で一体化しているが、これに限らず２本の電線、又は３本を超える本数の電線を３次元的な曲げ形状で一体化してもよい。
【０１４１】
あるいは、実施の形態１〜実施の形態４では、３次元的な曲げ形状で複数の電線を一体化しているが、３次元的な曲げ形状による拘束と電線以外の部材による拘束とを併用して複数の電線を一体化してもよい。
【０１４２】
あるいは、実施の形態１〜実施の形態４では、２台の機器間を配線する複数の電線を例示しているが、これに限らず３台以上の機器を配線する複数の電線について３次元的な曲げ形状で一体化してもよい。
【０１４３】
あるいは、実施の形態１〜実施の形態４では、電線の皮膜を剥いた端子導体部を単線のまま又は拠線のままとしている場合を例示しているが、これに限らず圧着端子を取り付ける等端子導体部に加工を施して配線する電線を用いてもよい。
【０１４４】
あるいは、実施の形態１〜実施の形態４では、複数の電線が機器の外部配線である場合を例示しているが、これに限らず、複数の電線は、電気機器の内部の配線であってもよいし、基板上の配線であってもよい。
【０１４５】
以上のように、実施の形態１〜実施の形態４にかかる配線部材における複数電線の一体化の方法によれば、電線以外の部材を使用することなく、固有の形状に曲げた電線を組み合わせることにより複数の電線を一体化した上、各電線が相対的に停止した状態を保つことが可能な配線部材を製作することができるため、複数の電線の配線工数を削減することができ、また一体化配線部材における使用部材の削減を図ることができる。さらに、本配線部材を輸送して輸送先にて機器に組み合わせる場合にも輸送中に配線が散々にならないため、輸送先での取扱性に優れる。
【０１４６】
このように、実施の形態１〜実施の形態４にかかる電線の一体化方法は、複数の電線を近接して配線する機器の内外に利用される配線に好適である。
【産業上の利用可能性】
【０１４７】
以上のように、本発明にかかる端子接続配線は、複数の機器の接続に有用である。
【符号の説明】
【０１４８】
１１−１〜１１−３，１２−１〜１２−３，１５−１〜１５−３，１６−１〜１６−３  電線、１００，２００，３００，４００  端子接続配線。
【図１】
2014107089.tif 000003
【図２】
2014107089.tif 000004
【図３】
2014107089.tif 000005
【図４】
2014107089.tif 000006
【図５】
2014107089.tif 000007
【図６】
2014107089.tif 000008
【図７】
2014107089.tif 000009
【図８】
2014107089.tif 000010
【図９】
2014107089.tif 000011
【図１０】
2014107089.tif 000012
【図１１】
2014107089.tif 000013
【図１２】
2014107089.tif 000014
【図１３】
2014107089.tif 000015
【図１４】
2014107089.tif 000016
【図１５】
2014107089.tif 000017
【図１６】
2014107089.tif 000018
【図１７】
2014107089.tif 000019
【図１８】
2014107089.tif 000020
【図１９】
2014107089.tif 000021
【図２０】
2014107089.tif 000022
【図２１】
2014107089.tif 000023
【図２２】
2014107089.tif 000024
【図２３】
2014107089.tif 000025
【図２４】
2014107089.tif 000026
【図２５】
2014107089.tif 000027
【図２６】
2014107089.tif 000028
【図２７】
2014107089.tif 000029
【図２８】
2014107089.tif 000030
【図２９】
2014107089.tif 000031
【図３０】
2014107089.tif 000032
【図３１】
2014107089.tif 000033
【図３２】
2014107089.tif 000034
【図３３】
2014107089.tif 000035
【図３４】
2014107089.tif 000036
【図３５】
2014107089.tif 000037
【図３６】
2014107089.tif 000038
【図３７】
2014107089.tif 000039